(57)【要約】【課題】大幅な設計変更を必要とせず、簡単な回路の付加と制御信号のタイミング変更だけで、下り傾斜波形電圧の到達電圧を切換えて安定した書込み放電を発生させる。【解決手段】維持パルス発生回路５２は、電力回収用のコンデンサＣ７６から走査電極へ向かう電流経路を形成する第１のスイッチＱ７７と、高圧側の電圧にクランプする第２のスイッチＱ７１と、走査電極から電力回収用のコンデンサＣ７６へ向かう電流経路を形成する第３のスイッチＱ７８と、低圧側の電圧にクランプする第４のスイッチＱ７４とを有し、初期化波形発生回路６０は、緩やかに下降する傾斜波形電圧を発生する下り傾斜波形発生回路６６と、第３のスイッチＱ７８の制御信号および第４のスイッチＱ７４の制御信号の少なくとも１つに依存して決まる所定の電圧を発生する電圧発生回路６７と、下り傾斜波形発生回路６６の出力と所定の電圧とを比較する比較回路６８とを有する。【選択図】図４
2010164743.tif 000002
【特許請求の範囲】
【請求項１】
走査電極と維持電極とからなる表示電極対を有する放電セルを複数備えたプラズマディスプレイパネルと、前記走査電極に印加する駆動電圧波形を発生する走査電極駆動回路と、前記走査電極駆動回路を制御する制御信号を発生する制御信号発生回路とを備え、
前記走査電極駆動回路は、初期化波形を発生する初期化波形発生回路と、維持パルスを発生する維持パルス発生回路とを備え、
前記維持パルス発生回路は、電力回収用のコンデンサと、前記電力回収用のコンデンサから前記走査電極へ向かう電流経路を形成する第１のスイッチと、前記維持パルスの高圧側の電圧にクランプする第２のスイッチと、前記走査電極から前記電力回収用のコンデンサへ向かう電流経路を形成する第３のスイッチと、前記維持パルスの低圧側の電圧にクランプする第４のスイッチとを有し、
前記制御信号発生回路は、前記第１のスイッチを制御する第１の制御信号と、前記第２のスイッチを制御する第２の制御信号と、前記第３のスイッチを制御する第３の制御信号と、前記第４のスイッチを制御する第４の制御信号とを発生し、
前記初期化波形発生回路は、電圧が下降する傾斜波形電圧を発生する下り傾斜波形発生回路と、前記第３の制御信号および前記第４の制御信号の少なくとも１つの制御信号に依存して決まる所定の電圧を発生する電圧発生回路と、前記下り傾斜波形発生回路の出力と前記所定の電圧とを比較する比較回路とを有することを特徴とするプラズマディスプレイ装置。
【請求項２】
前記電圧発生回路は、前記第３の制御信号および前記第４の制御信号に依存して決まる所定の電流を発生する電流発生回路と、前記所定の電流に基づき前記所定の電圧を発生する電流電圧変換回路とを有することを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、１対の走査電極と維持電極とからなる表示電極対が互いに平行に複数形成され、それら表示電極対を覆うように誘電体層および保護層が形成されている。背面基板上には、複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面基板と背面基板とが対向配置されて密封され、内部の放電空間には放電ガスが封入されている。ここで表示電極対とデータ電極とが対向する部分に放電セルが形成される。このような構成のパネルにおいて、各放電セル内でガス放電により紫外線を発生させ、この紫外線で赤色、緑色、青色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。サブフィールドは、初期化期間、書込み期間および維持期間を有する。初期化期間では、各電極に初期化電圧を印加して、それに続く書込み動作に必要な壁電荷を形成する。書込み期間では、走査電極に走査パルスを印加するとともにデータ電極に書込みパルスを印加して、表示を行うべき放電セルにおいて書込み放電を起こす。そして維持期間では、走査電極および維持電極に交互に維持パルスを印加して、書込み放電を起こした放電セルにおいて維持放電を起こし、対応する放電セルの蛍光体層を発光させることにより画像表示を行う。
【０００４】
このようなパネルの駆動方法において品質の高い画像を表示するためには、発光させるべき放電セルで安定した書込み放電を発生させることが重要である。書込み放電を安定して発生させる方法に関しては多くの検討がなされている。例えば特許文献１には、初期化期間において緩やかに下降する下り傾斜波形電圧を発生させて初期化放電を発生させるとともに、下り傾斜波形電圧の到達電圧（最低電圧）を、サブフィールド毎に、また各サブフィールドの点灯率に応じて切換えたプラズマディスプレイ装置が開示されている。
【特許文献１】特開２００８−２６８７９５号公報
【発明の開示】
【発明が解決しようとする課題】
【０００５】
しかしながら、特許文献１に記載のプラズマディスプレイ装置は、下り傾斜波形電圧の到達電圧を切換えるために複数の電圧発生回路を必要とするだけでなく、電圧変更のための制御信号も新たに発生させて配線する必要があり、プラズマディスプレイ装置の大幅な設計変更を必要とするものであった。
【０００６】
本発明は、これらの課題に鑑みなされたものであり、新たな制御信号線を増設する等の大幅な設計変更を必要とせず、簡単な回路の付加と制御信号のタイミング変更だけで、下り傾斜波形電圧の到達電圧を切換えて安定した書込み放電を発生させることができるプラズマディスプレイ装置を提供することを目的とする。
【課題を解決するための手段】
【０００７】
本発明のプラズマディスプレイ装置は、走査電極と維持電極とからなる表示電極対を有する放電セルを複数備えたパネルと、走査電極に印加する駆動電圧波形を発生する走査電極駆動回路と、走査電極駆動回路を制御する制御信号を発生する制御信号発生回路とを備え、走査電極駆動回路は、初期化波形を発生する初期化波形発生回路と、維持パルスを発生する維持パルス発生回路とを備え、維持パルス発生回路は、電力回収用のコンデンサと、電力回収用のコンデンサから走査電極へ向かう電流経路を形成する第１のスイッチと、維持パルスの高圧側の電圧にクランプする第２のスイッチと、走査電極から電力回収用のコンデンサへ向かう電流経路を形成する第３のスイッチと、維持パルスの低圧側の電圧にクランプする第４のスイッチとを有し、制御信号発生回路は、第１のスイッチを制御する第１の制御信号と、第２のスイッチを制御する第２の制御信号と、第３のスイッチを制御する第３の制御信号と、第４のスイッチを制御する第４の制御信号とを発生し、初期化波形発生回路は、緩やかに下降する傾斜波形電圧を発生する下り傾斜波形発生回路と、第３の制御信号および第４の制御信号の少なくとも１つの制御信号に依存して決まる所定の電圧を発生する電圧発生回路と、下り傾斜波形発生回路の出力と所定の電圧とを比較する比較回路とを有することを特徴とする。この構成により、新たな制御信号線を増設する等の大幅な設計変更を必要とせず、簡単な回路の付加と制御信号のタイミング変更だけで、下り傾斜波形電圧の到達電圧を切換えて安定した書込み放電を発生させることができるプラズマディスプレイ装置を提供することができる。
【０００８】
また本発明のプラズマディスプレイ装置の電圧発生回路は、第３の制御信号および第４の制御信号に依存して決まる所定の電流を発生する電流発生回路と、所定の電流に基づき所定の電圧を発生する電流電圧変換回路とを有する構成であってもよい。
【発明の効果】
【０００９】
本発明によれば、新たな制御信号線を増設する等の大幅な設計変更を必要とせず、簡単な回路を付加するだけで下り傾斜波形電圧の到達電圧を切換えて安定した書込み放電を発生させることができるプラズマディスプレイ装置を提供することが可能となる。
【発明を実施するための最良の形態】
【００１０】
以下、本発明の実施の形態におけるプラズマディスプレイ装置について、図面を用いて説明する。
【００１１】
（実施の形態）
図１は、本発明の実施の形態におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１２】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばキセノンを含む放電ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１３】
なお、パネル１０の構造は上述したものに限られるわけではなく、例えばストライプ状の隔壁を備えたものであってもよい。
【００１４】
図２は、本発明の実施の形態におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているため、走査電極ＳＣ１〜ＳＣｎと維持電極ＳＵ１〜ＳＵｎとの間に大きな電極間容量Ｃｐが存在する。
【００１５】
次に、本実施の形態におけるプラズマディスプレイ装置の構成について説明する。
【００１６】
図３は、本発明の実施の形態におけるプラズマディスプレイ装置４０の回路ブロック図である。プラズマディスプレイ装置４０は、パネル１０、画像信号処理回路４１、データ電極駆動回路４２、走査電極駆動回路４３、維持電極駆動回路４４、制御信号発生回路４５、各回路ブロックに必要な電源を供給する電源回路（図示せず）を備えている。
【００１７】
画像信号処理回路４１は、画像信号をパネル１０で表示できる画素数および階調数の画像信号に変換し、さらにサブフィールドのそれぞれにおける発光・非発光をデジタル信号のそれぞれのビットの「１」、「０」に対応させた画像データに変換する。データ電極駆動回路４２は、画像データを各データ電極Ｄ１〜Ｄｍに対応する書込みパルスに変換し、各データ電極Ｄ１〜Ｄｍに印加する。
【００１８】
制御信号発生回路４５は水平同期信号、垂直同期信号をもとにして、各回路ブロックの動作を制御する各種の制御信号を発生し、それぞれの回路ブロックへ供給する。走査電極駆動回路４３、維持電極駆動回路４４は、それぞれの制御信号に基づき駆動電圧波形を発生し、走査電極ＳＣ１〜ＳＣｎ、維持電極ＳＵ１〜ＳＵｎのそれぞれに印加する。
【００１９】
図４は、本発明の実施の形態におけるプラズマディスプレイ装置４０の走査電極駆動回路４３の詳細を示す回路図である。走査電極駆動回路４３は、走査パルスを発生する走査パルス発生回路５０と、維持パルスを発生する維持パルス発生回路５２と、初期化波形を発生する初期化波形発生回路６０とを備えている。
【００２０】
走査パルス発生回路５０は、節点Ｎ０の電圧に重畳された電圧Ｖｓｃの電源Ｅ５１と、走査電極ＳＣ１〜ＳＣｎのそれぞれに電圧を出力するスイッチ部ＯＵＴ１〜ＯＵＴｎとを備えている。電源Ｅ５１はＤＣ−ＤＣコンバータを用いて構成してもよいがブートストラップ回路を用いて構成してもよい。
【００２１】
スイッチ部ＯＵＴ１〜ＯＵＴｎのそれぞれは、節点Ｎ０の電圧を出力するためのトランジスタＱＬ１〜ＱＬｎと、節点Ｎ０の電圧に重畳された電源Ｅ５１の電圧を出力するためのトランジスタＱＨ１〜ＱＨｎと、それらのトランジスタをオン・オフ制御する制御部ＣＮＴ１〜ＣＮＴｎとを有している。そしてこれらの制御部ＣＮＴ１〜ＣＮＴｎは制御信号発生回路４５から出力される制御信号により制御されるとともに、後述する初期化波形発生回路６０の比較回路の出力によっても制御される。
【００２２】
維持パルス発生回路５２は、クランプ部７０と電力回収部７６とを備えている。クランプ部７０は、維持パルスの高圧側の電圧に出力をクランプする第２のスイッチとしてのトランジスタＱ７１と、逆流防止用のダイオードＤ７２と、維持パルスの低圧側の電圧にクランプする第４のスイッチとしてのトランジスタＱ７４と、逆流防止用のダイオードＤ７３と、分離スイッチとして働くトランジスタＱ７５とを備えている。本実施の形態においては、維持パルスの高圧側の電圧は電圧Ｖｓｕｓであり、維持パルスの低圧側の電圧はＧＮＤ、すなわち電圧０（Ｖ）である。
【００２３】
またトランジスタＱ７１、Ｑ７４のそれぞれに対して、エミッタからコレクタに向かう電流をバイパスさせるためのダイオードＤ７１、Ｄ７４を並列に接続している。そして、トランジスタＱ７１とダイオードＤ７２とを直列に、電圧Ｖｓｕｓの電源と節点Ｎ０との間に接続している。また、トランジスタＱ７４とダイオードＤ７３とを直列に、ＧＮＤと節点Ｎ０との間に接続している。そして直列に接続された２つのダイオードＤ７２、Ｄ７３と並列にトランジスタＱ７５が接続されている。
【００２４】
トランジスタＱ７１、Ｑ７４、Ｑ７５としては、それぞれ絶縁ゲートバイポーラトランジスタ（ＩＧＢＴ）または電界効果トランジスタ（ＦＥＴ）を用いることができる。本実施の形態においてはトランジスタＱ７１、Ｑ７４、Ｑ７５としてＩＧＢＴを用いており、トランジスタＱ７１のエミッタとダイオードＤ７２のアノードとを接続し、ダイオードＤ７３のカソードとトランジスタＱ７４のコレクタとを接続している。さらにトランジスタＱ７１のエミッタとトランジスタＱ７５のエミッタとを接続し、トランジスタＱ７５のコレクタとトランジスタＱ７４のコレクタとを接続している。
【００２５】
したがって、トランジスタＱ７１をオンにすることによりトランジスタＱ７１およびダイオードＤ７２を介して電圧Ｖｓｕｓの維持電源から節点Ｎ０に向かって電流を流すことができ、トランジスタＱ７５をオンにすることによりダイオードＤ７３、トランジスタＱ７５およびダイオードＤ７１を介して節点Ｎ０から維持電源に向かって電流を流すことができる。また、トランジスタＱ７４をオンにすることによりダイオードＤ７３およびトランジスタＱ７４を介して節点Ｎ０からＧＮＤに向かって電流を流すことができ、トランジスタＱ７５をオンにすることによりダイオードＤ７４、トランジスタＱ７５およびダイオードＤ７２を介してＧＮＤから節点Ｎ０に向かって電流を流すことができる。
【００２６】
なお、これらのトランジスタとしてＦＥＴを用いる場合には、ＦＥＴの寄生ダイオードが逆方向の電流をバイパスさせるため、対応するダイオードを省略してもよい。
【００２７】
電力回収部７６は、電力回収用のコンデンサＣ７６と、コンデンサＣ７６から走査電極ＳＣ１〜ＳＣｎへ向かう電流経路を形成する第１のスイッチとしてのトランジスタＱ７７と、それに直列に接続されたダイオードＤ７７およびインダクタＬ７７と、走査電極ＳＣ１〜ＳＣｎから電力回収用のコンデンサＣ７６へ向かう電流経路を形成する第３のスイッチとしてのトランジスタＱ７８と、それに直列に接続されたダイオードＤ７８およびインダクタＬ７８とを有している。そして電極間容量ＣｐとインダクタＬ７７またはインダクタＬ７８とをＬＣ共振させて維持パルスの立ち上がりおよび立ち下がりを行う。なお、電力回収用のコンデンサＣ７６は電極間容量Ｃｐに比べて十分に大きい容量を持ち、電力回収部７６の電源として働くように、電圧Ｖｓｕｓの半分の約Ｖｓｕｓ／２に充電されている。
【００２８】
そして制御信号発生回路４５は、第１のスイッチであるトランジスタＱ７７を制御する第１の制御信号ｓｉｇ７７と、第２のスイッチであるトランジスタＱ７１を制御する第２の制御信号ｓｉｇ７１と、第３のスイッチであるトランジスタＱ７８を制御する第３の制御信号ｓｉｇ７８と、第４のスイッチであるトランジスタＱ７４を制御する第４の制御信号ｓｉｇ７４と、トランジスタＱ７５を制御する制御信号ｓｉｇ７５を発生し、それぞれのトランジスタをオン・オフ制御する。なお、これらの制御信号は必要に応じてレベルシフトされるが、図４には制御信号ｓｉｇ７８をレベルシフトするレベルシフト回路ＬＳ７８のみを図示した。
【００２９】
初期化波形発生回路６０は、緩やかに上昇する傾斜波形電圧を発生する上り傾斜波形発生回路６１と、緩やかに下降する傾斜波形電圧を発生する下り傾斜波形発生回路６６と、少なくとも第３の制御信号ｓｉｇ７８および第４の制御信号ｓｉｇ７４のいずれかに依存して決まる所定の電圧を発生する電圧発生回路６７と、下り傾斜波形発生回路６６の出力と所定の電圧とを比較する比較回路６８とを備えている。
【００３０】
上り傾斜波形発生回路６１は、電界効果トランジスタＱ６１と積分コンデンサＣ６１と定電流回路として働く抵抗Ｒ６１とを有するミラー積分回路と、電界効果トランジスタＱ６２とダイオードＤ６２とを有する電圧切換部とで構成されている。そして節点Ｎ０の電圧を緩やかに上昇させる上り傾斜波形電圧を発生する。
【００３１】
下り傾斜波形発生回路６６は、電界効果トランジスタＱ６６とコンデンサＣ６６と抵抗Ｒ６６とを有するミラー積分回路で構成され、節点Ｎ０の電圧を緩やかに下降させる下り傾斜波形電圧を発生させる。
【００３２】
電圧発生回路６７は、本実施の形態においては、第３の制御信号ｓｉｇ７８および第４の制御信号ｓｉｇ７４に依存して決まる所定の電圧を発生する。この所定の電圧は、詳細は後述するが、初期化期間において走査電極ＳＣ１〜ＳＣｎに印加する下り傾斜波形電圧の到達電圧に等しい電圧である。以下、電圧発生回路６７の出力する所定の電圧を、「到達電圧」と称する。
【００３３】
比較回路６８は、下り傾斜波形発生回路６６の出力と到達電圧とを比較する。そして比較結果は走査パルス発生回路５０のスイッチ部ＯＵＴ１〜ＯＵＴｎの制御部ＣＮＴ１〜ＣＮＴｎに出力される。
【００３４】
図５は、本発明の実施の形態におけるプラズマディスプレイ装置４０の電圧発生回路６７の回路図である。電圧発生回路６７は、電流発生回路８０と、電流電圧変換回路９０とを備えている。
【００３５】
電流発生回路８０は、トランジスタＱ８１と、抵抗Ｒ８１〜Ｒ８３とを有する。トランジスタＱ８１のベースは接地され、エミッタには抵抗Ｒ８１の一方の端子および抵抗Ｒ８２の一方の端子が接続されている。抵抗Ｒ８１の他方の端子および抵抗Ｒ８２の他方の端子は電流発生回路８０の２つの電圧入力端子であるが、これらの入力端子に制御信号ｓｉｇ７４および制御信号ｓｉｇ７８を入力している。
【００３６】
制御信号ｓｉｇ７４はクランプ部７０のトランジスタＱ７４をオン・オフ制御する第４の制御信号であり、制御信号ｓｉｇ７８は電力回収部７６のトランジスタＱ７８をオン・オフ制御する第３の制御信号であるが、本実施の形態においては、トランジスタＱ７４、Ｑ７８を制御する制御信号を電流発生回路８０の入力信号としても用いている。
【００３７】
そして制御信号ｓｉｇ７４が「Ｈ」レベルであれば抵抗Ｒ８１には、電流Ｉ８１＝（５−Ｖｂｅ）／ｒ８１が流れ、制御信号ｓｉｇ７８が「Ｈ」レベルであれば抵抗Ｒ８２には、電流Ｉ８２＝（５−Ｖｂｅ）／ｒ８２が流れる。そして抵抗Ｒ８３には、電流Ｉ８３＝Ｉ８１＋Ｉ８２が流れる。なお、ｒ８１は抵抗Ｒ８１の抵抗値、ｒ８２は抵抗Ｒ８２の抵抗値、ＶｂｅはトランジスタＱ８１のベース・エミッタ電圧であり、それぞれの制御信号の「Ｈ」レベルを電圧５（Ｖ）とした。
【００３８】
電流電圧変換回路９０は、シャントレギュレータＩＣ９１と、トランジスタＱ９１と抵抗Ｒ９１〜Ｒ９３とを有する。シャントレギュレータＩＣ９１は、アノードが負の電圧Ｖａｄに、カソードが抵抗Ｒ９３を介して電圧Ｖｏ（例えば、電圧（Ｖａｄ＋３２（Ｖ）））にそれぞれ接続されている。トランジスタＱ９１は、コレクタが電圧Ｖｏに、ベースがシャントレギュレータＩＣ９１のカソードに接続され、エミッタは抵抗Ｒ９２を介してシャントレギュレータＩＣ９１のリファレンス端子に接続されている。また、抵抗Ｒ９１を介してシャントレギュレータＩＣ９１のリファレンス端子と負の電圧Ｖａｄとを接続する。こうして、トランジスタＱ９１のエミッタ電圧と負の電圧Ｖａｄとを抵抗Ｒ９１と抵抗Ｒ９２とで抵抗分割して発生させた電圧を、シャントレギュレータＩＣ９１のリファレンス端子にフィードバックしている。
【００３９】
シャントレギュレータＩＣ９１は、リファレンス端子に印加される電圧がシャントレギュレータＩＣ９１の内部に設定された基準電圧よりも大きくなったときに、カソードから電流を引き込む動作をする。したがってシャントレギュレータＩＣ９１のカソードの電圧を抵抗分割してリファレンス端子にフィードバックすれば、リファレンス端子に印加される電圧がシャントレギュレータＩＣ９１の内部の基準電圧に等しくなるようにカソードの電圧を安定させることができる。
【００４０】
本実施の形態では、このようにして安定した到達電圧を発生させるとともに、電流発生回路８０から出力される電流を切換えて、シャントレギュレータＩＣ９１のリファレンス端子に印加される電圧を切換えて到達電圧を切換えている。
【００４１】
例えば、電流発生回路８０の出力電流Ｉ８３を大きくすればシャントレギュレータＩＣ９１のカソードに引き込まれる電流が多くなって、到達電圧を下げることができる。逆に、電流発生回路８０の出力電流Ｉ８３を小さくすればシャントレギュレータＩＣ９１のカソードに引き込まれる電流が少なくなって、到達電圧を上げることができる。
【００４２】
図６は、本発明の実施の形態におけるプラズマディスプレイ装置４０の制御信号ｓｉｇ７４、ｓｉｇ７８と到達電圧との関係を示す図である。本実施の形態では、制御信号ｓｉｇ７４、ｓｉｇ７８をともに「Ｌ」レベルとして出力電流Ｉ８３＝０としたときに、出力される到達電圧が電圧（Ｖａｄ＋１０（Ｖ））となるように、抵抗Ｒ９１、Ｒ９２の抵抗値を設定する。そして、制御信号ｓｉｇ７４を「Ｈ」、制御信号ｓｉｇ７８を「Ｌ」にしたときに、出力される到達電圧が電圧（Ｖａｄ＋８（Ｖ））となるように、抵抗Ｒ８１の抵抗値を設定する。さらに、制御信号ｓｉｇ７４、ｓｉｇ７８をともに「Ｈ」にしたときに、出力される到達電圧が電圧（Ｖａｄ＋６（Ｖ））となるように、抵抗Ｒ８２の抵抗値を設定する。
【００４３】
これにより、到達電圧を発生させるために複数の電源回路を用いることなく、比較的簡易な構成で到達電圧を切換えることができる。さらに電圧発生回路６７の制御信号と維持パルス発生回路５２の制御信号とを共用することで、フォトカプラ等の比較的高価な電子部品を新たに用いることなく、また新たな制御信号線を増設する等の大幅な設計変更を必要とせず、安定して到達電圧を発生させることができる。
【００４４】
なお、本実施の形態では、制御信号ｓｉｇ７４および制御信号ｓｉｇ７８を用いて到達電圧を３つの異なる電圧値（電圧（Ｖａｄ＋６（Ｖ））、電圧（Ｖａｄ＋８（Ｖ））、電圧（Ｖａｄ＋１０（Ｖ）））に切換える構成について説明したが、制御信号ｓｉｇ７４および制御信号ｓｉｇ７８の少なくとも１つを用いることにより到達電圧を異なる電圧値に切換えることができる。またトランジスタＱ８１のエミッタに接続する抵抗および制御信号を増やすことで、さらに多くの異なる電圧を到達電圧として設定することができる。
【００４５】
比較回路６８は、電圧発生回路６７の出力する到達電圧と節点Ｎ０の電圧とを比較し、その結果を走査パルス発生回路５０に出力する。そして走査パルス発生回路５０は、初期化期間中に節点Ｎ０の電圧が到達電圧以下になると、トランジスタＱＬ１〜ＱＬｎをオフとし、トランジスタＱＨ１〜ＱＨｎをオンとする。したがって走査電極ＳＣ１〜ＳＣｎに印加される電圧は、到達電圧に達するとその後速やかに上昇する。
【００４６】
次に、走査電極駆動回路４３の動作をパネル１０の駆動方法とともに説明する。パネル１０はサブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００４７】
初期化期間では初期化放電を発生し、続く書込み放電に必要な壁電荷を各電極上に形成する。書込み期間では、書込み電圧として走査電極ＳＣ１〜ＳＣｎに走査パルスを印加するとともにデータ電極Ｄ１〜Ｄｍに選択的に書込みパルスを印加して、発光させるべき放電セルで選択的に書込み放電を発生し壁電荷を形成する。そして維持期間では、輝度重みに応じた数の維持パルスを表示電極対に交互に印加して、書込み放電を発生した放電セルで維持放電を発生させて発光させる。
【００４８】
図７は、本発明の実施の形態におけるプラズマディスプレイ装置４０のパネル１０の各電極に印加する駆動電圧波形図であり、３つのサブフィールドの駆動電圧波形を示している。
【００４９】
第１サブフィールドの初期化期間の前半部では、データ電極Ｄ１〜Ｄｍ、維持電極ＳＵ１〜ＳＵｎにそれぞれ電圧０（Ｖ）を印加するとともに、走査電極ＳＣ１〜ＳＣｎには緩やかに上昇する上り傾斜波形電圧を印加する。
【００５０】
走査電極ＳＣ１〜ＳＣｎに上り傾斜波形電圧を印加するには、制御信号ｓｉｇ７４、ｓｉｇ７５を「Ｈ」レベルにしてトランジスタＱ７４、Ｑ７５をオンにして節点Ｎ０を電圧０（Ｖ）とする。さらに、スイッチ部ＯＵＴ１〜ＯＵＴｎのトランジスタＱＨ１〜ＱＨｎをオンにして走査電極ＳＣ１〜ＳＣｎに電圧Ｖｓｃを印加する。次に制御信号ｓｉｇ７４、ｓｉｇ７５を「Ｌ」レベルにしてトランジスタＱ７４、Ｑ７５をオフにするとともにトランジスタＱ６２をオンにして上り傾斜波形発生回路６１を動作させる。すると節点Ｎ０の電圧は電圧Ｖｓｅｔに向かって緩やかに上昇する。こうしてスイッチ部ＯＵＴ１〜ＯＵＴｎのそれぞれが節点Ｎ０の電圧に電圧Ｖｓｃを重畳した電圧を出力するので、走査電極ＳＣ１〜ＳＣｎに電圧（Ｖｓｃ＋Ｖｓｅｔ）に向かって緩やかに上昇する傾斜波形電圧が印加される。
【００５１】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こりそれぞれの電極上に壁電圧が蓄積される。その後トランジスタＱ６１をオフにする。ここで、電極上の壁電圧とは電極を覆う誘電体層上、保護層上、蛍光体層上等に蓄積された壁電荷により生じる電圧を表す。
【００５２】
初期化期間の後半部では、維持電極ＳＵ１〜ＳＵｎに正の電圧Ｖｅ１を印加するとともに、走査電極ＳＣ１〜ＳＣｎには電圧（Ｖａｄ＋６（Ｖ））まで緩やかに下降する下り傾斜波形電圧を印加する。
【００５３】
走査電極ＳＣ１〜ＳＣｎに下り傾斜波形電圧を印加する前に、まずトランジスタＱ６１をオフにする。そして制御信号ｓｉｇ７１、ｓｉｇ７５を「Ｈ」レベルにしてトランジスタＱ７１、Ｑ７５をオンにし、節点Ｎ０を電圧Ｖｓｕｓに変更する。その後、スイッチ部ＯＵＴ１〜ＯＵＴｎのトランジスタＱＨ１〜ＱＨｎをオフ、トランジスタＱＬ１〜ＱＬｎをオンにして走査電極ＳＣ１〜ＳＣｎに節点Ｎ０の電圧、すなわち電圧Ｖｓｕｓを印加する。そしてその後、制御信号ｓｉｇ７１、ｓｉｇ７５を「Ｌ」レベルにしてトランジスタＱ７１、Ｑ７５をオフにする。そして下り傾斜波形発生回路６６を動作させる。すると節点Ｎ０の電圧は緩やかに低下し始める。
【００５４】
そして節点Ｎ０の電圧が電圧０（Ｖ）以下に降下した後、制御信号ｓｉｇ７４、ｓｉｇ７８を「Ｈ」レベルにして電圧発生回路６７の到達電圧を電圧（Ｖａｄ＋６（Ｖ））とする。このとき制御信号ｓｉｇ７４、ｓｉｇ７８を「Ｈ」レベルにするためトランジスタＱ７４、Ｑ７８もオンするが、ダイオードＤ７３およびダイオードＤ７８が電流の逆流を防止するため、トランジスタＱ７４およびトランジスタＱ７８に電流が流れることなく、動作上の問題も発生しない。
【００５５】
比較回路６８は、節点Ｎ０の電圧と電圧発生回路６７の到達電圧（Ｖａｄ＋６（Ｖ））とを比較する。そして初期化期間中に節点Ｎ０の電圧が到達電圧以下になると、走査パルス発生回路５０はトランジスタＱＨ１〜ＱＨｎをオンとする。したがって走査電極ＳＣ１〜ＳＣｎに印加される電圧が到達電圧（Ｖａｄ＋６（Ｖ））に達すると、その後速やかに上昇する。
【００５６】
こうして電圧Ｖａｄに達する前の到達電圧Ｖｉ４＝（Ｖａｄ＋６（Ｖ））に向かって緩やかに下降する傾斜波形電圧を走査電極ＳＣ１〜ＳＣｎに印加する。
【００５７】
この傾斜波形電圧が下降する間に、走査電極ＳＣ１〜ＳＣｎと維持電極ＳＵ１〜ＳＵｎ、データ電極Ｄ１〜Ｄｍとの間で再び微弱な初期化放電が起こり、各電極上の壁電圧は書込み動作に適した値に調整される。
【００５８】
このようにして初期化期間では初期化放電を発生し、続く書込み放電に必要な壁電荷を各電極上に形成する。
【００５９】
続く書込み期間では、まず維持電極ＳＵ１〜ＳＵｎに電圧Ｖｅ２を印加し、走査電極ＳＣ１〜ＳＣｎに電圧（Ｖａｄ＋Ｖｓｃ）を印加する。その後、走査電極ＳＣ１に負の電圧Ｖａｄの走査パルスを印加するとともに、データ電極Ｄ１〜Ｄｍのうち１行目に発光させるべき放電セルのデータ電極Ｄｋ（ｋ＝１〜ｍ）に正の電圧Ｖｄの書込みパルスを印加する。
【００６０】
走査電極ＳＣ１に走査パルスを印加するには、まずトランジスタＱ６６をオンにして節点Ｎ０の電圧を負の電圧Ｖａｄとする。スイッチ部ＯＵＴ１〜ＯＵＴｎのトランジスタＱＨ１〜ＱＨｎがオン、トランジスタＱＬ１〜ＱＬｎがオフであるので走査電極ＳＣ１〜ＳＣｎには電圧（Ｖａｄ＋Ｖｓｃ）が印加される。次に、トランジスタＱＨ１をオフ、トランジスタＱＬ１をオンにすることにより、１行目の走査電極ＳＣ１に電圧Ｖａｄの走査パルスを印加する。
【００６１】
すると１行目の放電セルのうち書込みパルスを印加した放電セルでは書込み放電が起こり、各電極上に壁電圧を蓄積する書込み動作が行われる。一方、書込みパルスを印加しなかった放電セルでは書込み放電は発生しない。このようにして選択的に書込み動作を行う。
【００６２】
次に、トランジスタＱＨ１をオン、トランジスタＱＬ１をオフに戻し、トランジスタＱＨ２をオフにしトランジスタＱＬ２をオンにして２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると２行目の放電セルで選択的に書込み放電が起こる。以上の書込み動作をｎ行目の放電セルに至るまで行う。
【００６３】
その後、トランジスタＱ６６をオフにする。そして制御信号ｓｉｇ７４、ｓｉｇ７５を「Ｈ」レベルにしてトランジスタＱ７４、Ｑ７５をオンとし、節点Ｎ０を電圧０（Ｖ）にする。さらにスイッチ部ＯＵＴ１〜ＯＵＴｎのトランジスタＱＨ１〜ＱＨｎをオフ、トランジスタＱＬ１〜ＱＬｎをオンにして走査電極ＳＣ１〜ＳＣｎに電圧０（Ｖ）を印加する。
【００６４】
続く維持期間では、維持電極ＳＵ１〜ＳＵｎに電圧０（Ｖ）を印加し、走査電極ＳＣ１〜ＳＣｎに電圧Ｖｓｕｓの維持パルスを印加する。
【００６５】
走査電極ＳＣ１〜ＳＣｎに維持パルス電圧Ｖｓｕｓを印加するには、まず制御信号ｓｉｇ７７を「Ｈ」レベルにしてトランジスタＱ７７をオンにする。すると、電力回収用のコンデンサＣ７６からトランジスタＱ７７、ダイオードＤ７７、インダクタＬ７７およびトランジスタＱＬ１〜ＱＬｎを介して電流が流れ始め、走査電極ＳＣ１〜ＳＣｎの電圧が上がり始める。インダクタＬ７７と電極間容量Ｃｐとは共振回路を形成しているので、共振周期の１／２の時間経過後には走査電極ＳＣ１〜ＳＣｎの電圧は電圧Ｖｓｕｓ付近まで上昇する。
【００６６】
そして、制御信号ｓｉｇ７１を「Ｈ」レベルにしてトランジスタＱ７１をオンにする。すると節点Ｎ０の電圧が電圧Ｖｓｕｓとなり、走査電極ＳＣ１〜ＳＣｎに電圧Ｖｓｕｓが印加される。
【００６７】
このようにして走査電極ＳＣ１〜ＳＣｎの電圧は強制的に電圧Ｖｓｕｓまで上昇し、書込み放電を起こした放電セルで維持放電が発生する。その後、制御信号ｓｉｇ７７、ｓｉｇ７１を「Ｌ」レベルにしてトランジスタＱ７７、Ｑ７１をオフにする。
【００６８】
続いて走査電極ＳＣ１〜ＳＣｎに電圧０（Ｖ）を印加し、維持電極ＳＵ１〜ＳＵｎに維持パルス電圧Ｖｓｕｓを印加する。
【００６９】
走査電極ＳＣ１〜ＳＣｎに電圧０（Ｖ）を印加するには、まず制御信号ｓｉｇ７８を「Ｈ」レベルにしてトランジスタＱ７８をオンにする。すると、走査電極ＳＣ１〜ＳＣｎからトランジスタＱＬ１〜ＱＬｎ、インダクタＬ７８、ダイオードＤ７８、トランジスタＱ７８を介して電力回収用のコンデンサＣ７６に電流が流れ始め、走査電極ＳＣ１〜ＳＣｎの電圧が下がり始める。インダクタＬ７８と電極間容量Ｃｐとは共振回路を形成しているので、共振周期の１／２の時間経過後には走査電極ＳＣ１〜ＳＣｎの電圧は電圧０（Ｖ）付近まで低下する。
【００７０】
次に制御信号ｓｉｇ７４を「Ｈ」レベルにしてトランジスタＱ７４をオンにする。すると節点Ｎ０が電圧０（Ｖ）となり、走査電極ＳＣ１〜ＳＣｎに電圧０（Ｖ）が印加される。
【００７１】
このようにして走査電極ＳＣ１〜ＳＣｎに電圧０（Ｖ）を印加する。そして維持電極ＳＵ１〜ＳＵｎに維持パルス電圧Ｖｓｕｓを印加すると、書込み放電を起こした放電セルで維持放電が発生する。その後、制御信号ｓｉｇ７８、ｓｉｇ７４を「Ｌ」レベルにしてトランジスタＱ７８、Ｑ７４をオフにする。
【００７２】
以下同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、書込み期間において書込み放電を起こした放電セルで維持放電が継続して行われる。
【００７３】
この間、制御信号ｓｉｇ７８、ｓｉｇ７４は維持パルスに同期して「Ｈ」レベルまたは「Ｌ」レベルに切換えられる。したがって、電圧発生回路６７の到達電圧も維持パルスに同期して切換えられる。しかしこの間、節点Ｎ０の電圧が負になることはなく比較回路６８の出力が変化することはない。また維持期間においては、制御信号発生回路４５から出力される制御信号によりトランジスタＱＨ１〜ＱＨｎはオフ、トランジスタＱＬ１〜ＱＬｎはオンに固定されているので、動作上、何の問題も発生しない。
【００７４】
なお本実施の形態においては、維持期間の間は分離スイッチであるトランジスタＱ７５をオンとしている。これは、走査電極ＳＣｉから電圧Ｖｓｕｓの電源に向かって電流を流す経路、およびＧＮＤから走査電極ＳＣｉに向かって電流を流す経路を確保するためである。
【００７５】
そして、維持期間の最後には、消去波形を走査電極ＳＣ１〜ＳＣｎに印加して、データ電極Ｄｋ上の正の壁電圧を残したまま、走査電極ＳＣｉおよび維持電極ＳＵｉ上の壁電圧の一部または全部を消去している。具体的には、維持電極ＳＵ１〜ＳＵｎを電圧０（Ｖ）に戻した後、走査電極ＳＣ１〜ＳＣｎに電圧Ｖｒｓまで緩やかに上昇する上り傾斜波形電圧を印加する。すると、維持放電を起こした放電セルの維持電極ＳＵｉと走査電極ＳＣｉとの間で弱い放電が起こり、走査電極ＳＣｉ上と維持電極ＳＵｉ上との間の壁電圧が弱められる。こうして維持期間における維持動作が終了する。
【００７６】
走査電極ＳＣ１〜ＳＣｎに電圧Ｖｒｓまで緩やかに上昇する上り傾斜波形電圧を印加するには、まず制御信号ｓｉｇ７１、ｓｉｇ７４、ｓｉｇ７５を「Ｌ」レベルにしてトランジスタＱ７１、Ｑ７４、Ｑ７５をオフにする。そして上り傾斜波形発生回路６１を動作させる。すると節点Ｎ０の電圧ＶＮ０は電圧Ｖｒｓに向かって緩やかに上昇する。こうして走査電極ＳＣ１〜ＳＣｎに電圧Ｖｒｓに向かって緩やかに上昇する傾斜波形電圧が印加される。そしてその後、制御信号ｓｉｇ７８を「Ｈ」レベルにしてトランジスタＱ７８をオンとし、さらにその後、制御信号ｓｉｇ７４、ｓｉｇ７５を「Ｈ」レベルにしてトランジスタＱ７４、Ｑ７５をオンとし、走査電極ＳＣ１〜ＳＣｎを電圧０（Ｖ）に戻す。
【００７７】
続く第２サブフィールドの初期化期間では、維持電極ＳＵ１〜ＳＵｎに正の電圧Ｖｅ１を印加するとともに、走査電極ＳＣ１〜ＳＣｎには到達電圧（Ｖａｄ＋８（Ｖ））まで緩やかに下降する下り傾斜波形電圧を印加する。
【００７８】
走査電極ＳＣ１〜ＳＣｎに下り傾斜波形電圧を印加するには、制御信号ｓｉｇ７４、ｓｉｇ７５を「Ｌ」レベルにしてトランジスタＱ７４、Ｑ７５をオフにする。そして下り傾斜波形発生回路６６を動作させる。すると節点Ｎ０の電圧は緩やかに低下し始める。
【００７９】
そして制御信号ｓｉｇ７４を「Ｈ」レベル、制御信号ｓｉｇ７８を「Ｌ」レベルにして電圧発生回路６７の到達電圧を電圧（Ｖａｄ＋８（Ｖ））とする。このとき制御信号ｓｉｇ７４を「Ｈ」レベルにするためトランジスタＱ７４もオンするが、ダイオードＤ７３が電流の逆流を防止するため、トランジスタＱ７４に電流が流れることなく、動作上の問題も発生しない。
【００８０】
比較回路６８は、節点Ｎ０の電圧と到達電圧（Ｖａｄ＋８（Ｖ））とを比較する。そして初期化期間中に節点Ｎ０の電圧が到達電圧以下になると、走査パルス発生回路５０はトランジスタＱＨ１〜ＱＨｎをオンとする。したがって走査電極ＳＣ１〜ＳＣｎに印加される電圧は、到達電圧（Ｖａｄ＋８（Ｖ））に達するとその後速やかに上昇する。
【００８１】
こうして電圧Ｖａｄに達する前の到達電圧Ｖｉ４＝（Ｖａｄ＋８（Ｖ））に向かって緩やかに下降する傾斜波形電圧を走査電極ＳＣ１〜ＳＣｎに印加する。
【００８２】
この傾斜波形電圧が下降する間に、直前のサブフィールドの維持期間に維持放電を行った放電セルで選択的に初期化放電が発生し、維持放電を行った放電セルの各電極上の壁電圧は書込み動作に適した値に調整される。
【００８３】
続く書込み期間における動作は第１サブフィールドの書込み期間の動作と同様であり、続く維持期間の動作も維持パルスの数を除き第１サブフィールドと同様である。
【００８４】
続く第３サブフィールドの初期化期間では、維持電極ＳＵ１〜ＳＵｎに正の電圧Ｖｅ１を印加するとともに、走査電極ＳＣ１〜ＳＣｎには到達電圧（Ｖａｄ＋１０（Ｖ））まで緩やかに下降する下り傾斜波形電圧を印加する。
【００８５】
走査電極ＳＣ１〜ＳＣｎに下り傾斜波形電圧を印加するには、制御信号ｓｉｇ７４、ｓｉｇ７５を「Ｌ」レベルにしてトランジスタＱ７４、Ｑ７５をオフにする。そして下り傾斜波形発生回路６６を動作させる。すると節点Ｎ０の電圧は緩やかに低下し始める。
【００８６】
制御信号ｓｉｇ７４、ｓｉｇ７８をともに「Ｌ」レベルにして電圧発生回路６７の到達電圧を電圧（Ｖａｄ＋１０（Ｖ））とする。比較回路６８は、節点Ｎ０の電圧と到達電圧（Ｖａｄ＋１０（Ｖ））とを比較する。そして初期化期間中に節点Ｎ０の電圧が到達電圧以下になると、走査パルス発生回路５０はトランジスタＱＨ１〜ＱＨｎをオンとする。したがって走査電極ＳＣ１〜ＳＣｎに印加される電圧は、到達電圧（Ｖａｄ＋１０（Ｖ））に達するとその後速やかに上昇する。
【００８７】
こうして電圧Ｖａｄに達する前の到達電圧Ｖｉ４＝（Ｖａｄ＋１０（Ｖ））に向かって緩やかに下降する傾斜波形電圧を走査電極ＳＣ１〜ＳＣｎに印加する。
【００８８】
この傾斜波形電圧が下降する間に、直前のサブフィールドの維持期間に維持放電を行った放電セルで選択的に初期化放電が発生し、維持放電を行った放電セルの各電極上の壁電圧は書込み動作に適した値に調整される。
【００８９】
続く書込み期間における動作は第１サブフィールドの書込み期間の動作と同様であり、続く維持期間の動作も維持パルスの数を除き第１サブフィールドと同様である。
【００９０】
以降のサブフィールドの初期化期間においても、維持電極ＳＵ１〜ＳＵｎに正の電圧Ｖｅ１を印加するとともに、制御信号ｓｉｇ７４、ｓｉｇ７８を制御することにより走査電極ＳＣ１〜ＳＣｎに印加する下り傾斜波形電圧の到達電圧を切換えて初期化動作を行う。
【００９１】
なお、本実施の形態において各電極に印加する電圧値は、例えば、電圧Ｖｓｅｔ＝２９０（Ｖ）、電圧Ｖｓｕｓ＝２００（Ｖ）、電圧Ｖｒｓ＝２００（Ｖ）、電圧Ｖｓｃ＝１４０（Ｖ）、電圧Ｖａｄ＝−２００（Ｖ）、電圧Ｖｅ１＝１３０（Ｖ）、電圧Ｖｅ２＝１４０（Ｖ）、電圧Ｖｄ＝７０（Ｖ）である。
【００９２】
また、本実施の形態においては、走査電極ＳＣ１〜ＳＣｎに印加する下り傾斜波形電圧の到達電圧をそれぞれ、第１サブフィールドでは電圧（Ｖａｄ＋６（Ｖ））、第２サブフィールドでは電圧（Ｖａｄ＋８（Ｖ））、第３サブフィールドでは電圧（Ｖａｄ＋１０（Ｖ））であるものとして説明したが、本発明はこれらの電圧値に限定されるものではなく、パネルの特性等に基づき最適な値に設定することが望ましい。また、サブフィールド毎の放電セルの点灯率等に基づき下り傾斜波形電圧の到達電圧を切換える構成であってもよい。
【００９３】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９４】
本発明は、新たな制御信号線を増設する等の大幅な設計変更を必要とせず、簡単な回路の付加と制御信号のタイミング変更だけで、下り傾斜波形電圧の到達電圧を切換えて安定した書込み放電を発生させることができるので、プラズマディスプレイ装置として有用である。
【図面の簡単な説明】
【００９５】
【図１】本発明の実施の形態におけるプラズマディスプレイ装置に用いるパネルの分解斜視図
【図２】同プラズマディスプレイ装置に用いるパネルの電極配列図
【図３】同プラズマディスプレイ装置の回路ブロック図
【図４】同プラズマディスプレイ装置の走査電極駆動回路の詳細を示す回路図
【図５】同プラズマディスプレイ装置の電圧発生回路の回路図
【図６】同プラズマディスプレイ装置の制御信号と到達電圧との関係を示す図
【図７】同プラズマディスプレイ装置のパネルの各電極に印加する駆動電圧波形図
【符号の説明】
【００９６】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    制御信号発生回路
５０    走査パルス発生回路
５２    維持パルス発生回路
６０    初期化波形発生回路
６１    上り傾斜波形発生回路
６６    下り傾斜波形発生回路
６７    電圧発生回路
６８    比較回路
７０    クランプ部
７６    電力回収部
８０    電流発生回路
９０    電流電圧変換回路
【図１】
2010164743.tif 000003
【図２】
2010164743.tif 000004
【図３】
2010164743.tif 000005
【図４】
2010164743.tif 000006
【図５】
2010164743.tif 000007
【図６】
2010164743.tif 000008
【図７】
2010164743.tif 000009